(57)【要約】  【課題】  音声の途切れや映像の停止が発生することがあった。  【解決手段】  情報を蓄積する第一の情報蓄積手段４と、情報を蓄積する第二の情報蓄積手段５と、第一の情報蓄積手段４が情報を蓄積するのか第二の情報蓄積手段５が情報を蓄積するのかを選択する情報蓄積選択手段３と、出力された音声に関する情報を蓄積する音声情報蓄積手段８と、出力された映像に関する情報を蓄積する映像情報蓄積手段７と、第一の情報蓄積手段４によって蓄積されている情報の量と第二の情報蓄積手段５によって蓄積されている情報の量と音声情報蓄積手段８によって蓄積されている情報の量と映像情報蓄積手段７によって蓄積されている情報の量とを検知する情報蓄積量検知手段１１と、検知の結果に基づいて、再生処理手段２と第一の情報蓄積手段４と第二の情報蓄積手段５と情報蓄積選択手段３とを制御するシステム制御手段１２とを備えた情報再生装置である。【選択図】  図１
2005050435.tif 000002
【特許請求の範囲】
【請求項１】
音声に関する情報および映像に関する情報を再生する再生手段と、
前記再生された情報を蓄積し出力する第一の情報蓄積出力手段と、
前記再生された情報を蓄積し出力する第二の情報蓄積出力手段と、
前記第一の情報蓄積出力手段が前記再生された情報を蓄積するのか前記第二の情報蓄積出力手段が前記再生された情報を蓄積するのかを選択する選択手段と、
前記第一の情報蓄積出力手段によって出力された情報と前記第二の情報蓄積出力手段によって出力された情報とが、前記音声に関するのか前記映像に関するのかを解析する解析手段と、
前記解析された情報が前記音声に関する場合には、前記出力された音声に関する情報を蓄積し出力する音声情報蓄積出力手段と、
前記解析された情報が前記映像に関する場合には、前記出力された映像に関する情報を蓄積し出力する映像情報蓄積出力手段と、
前記音声情報蓄積出力手段によって前記出力された音声に関する情報を復号する音声情報復号手段と、
前記映像情報蓄積出力手段によって前記出力された映像に関する情報を復号する映像情報復号手段と、
前記第一の情報蓄積出力手段によって蓄積されている情報の量と前記第二の情報蓄積出力手段によって蓄積されている情報の量と前記音声情報蓄積出力手段によって蓄積されている情報の量と前記映像情報蓄積出力手段によって蓄積されている情報の量との全部または一部を検知する検知手段と、
前記検知の結果に基づいて、前記再生手段と前記第一の情報蓄積出力手段と前記第二の情報蓄積出力手段と前記選択手段とを少なくとも制御する制御手段とを備えた情報再生装置。
【請求項２】
前記検知手段は、前記第一の情報蓄積出力手段によって蓄積されている情報の量と前記第二の情報蓄積出力手段によって蓄積されている情報の量と前記音声情報蓄積出力手段によって蓄積されている情報の量と前記映像情報蓄積出力手段によって蓄積されている情報の量との全部を検知する請求項１記載の情報再生装置。
【請求項３】
前記制御手段は、（ａ）前記検知された前記第一の情報蓄積出力手段によって蓄積されている情報の量と前記第二の情報蓄積出力手段によって蓄積されている情報の量とに応じて、前記再生手段と前記選択手段とを制御し、（ｂ）前記検知された前記音声情報蓄積出力手段によって蓄積されている情報の量と前記映像情報蓄積出力手段によって蓄積されている情報の量とに応じて、前記第一の情報蓄積出力手段と前記第二の情報蓄積出力手段とを制御する請求項２記載の情報再生装置。
【請求項４】
前記制御手段は、（ａ）前記検知された前記第一の情報蓄積出力手段によって蓄積されている情報の量と前記第二の情報蓄積出力手段によって蓄積されている情報の量とに応じて、前記第一の情報蓄積出力手段と前記第二の情報蓄積出力手段とを制御し、（ｂ）前記検知された前記音声情報蓄積出力手段によって蓄積されている情報の量と前記映像情報蓄積出力手段によって蓄積されている情報の量とに応じて、前記再生手段と前記選択手段とを制御する請求項２記載の情報再生装置。
【請求項５】
前記検知手段は、前記音声情報蓄積出力手段によって蓄積されている情報の量と前記映像情報蓄積出力手段によって蓄積されている情報の量とを検知し、
前記制御手段は、前記検知された前記音声情報蓄積出力手段によって蓄積されている情報の量と前記映像情報蓄積出力手段によって蓄積されている情報の量とに応じて、前記再生手段と前記第一の情報蓄積出力手段と前記第二の情報蓄積出力手段と前記選択手段とを制御する制御手段とを制御する請求項１記載の情報再生装置。
【請求項６】
前記検知手段は、前記第一の情報蓄積出力手段によって蓄積されている情報の量と前記第二の情報蓄積出力手段によって蓄積されている情報の量とを検知し、
前記制御手段は、前記検知された前記第一の情報蓄積出力手段によって蓄積されている情報の量と前記第二の情報蓄積出力手段によって蓄積されている情報の量とに応じて、前記再生手段と前記第一の情報蓄積出力手段と前記第二の情報蓄積出力手段と前記選択手段とを制御する請求項１記載の情報再生装置。
【請求項７】
前記制御手段は、（１）前記音声情報蓄積出力手段によって蓄積されている情報の量が所定値未満である場合には、前記第一の情報蓄積出力手段または前記第二の情報蓄積出力手段が前記蓄積された音声に関する情報を出力するように、（２）前記映像情報蓄積出力手段によって蓄積されている情報の量が所定値未満である場合には、前記第一の情報蓄積出力手段または前記第二の情報蓄積出力手段が前記蓄積された映像に関する情報を出力するように、前記第一の情報蓄積出力手段と前記第二の情報蓄積出力手段とを制御する請求項３または５記載の情報再生装置。
【請求項８】
前記制御手段は、（１）前記第一の情報蓄積出力手段によって蓄積されている情報の量が所定値以上である場合には、前記第一の情報蓄積出力手段が前記蓄積された情報を出力するように、（２）前記第二の情報蓄積出力手段によって蓄積されている情報の量が所定値以上である場合には、前記第二の情報蓄積出力手段が前記蓄積された情報を出力するように、前記第一の情報蓄積出力手段と前記第二の情報蓄積出力手段とを制御する請求項４または６記載の情報再生装置。
【請求項９】
前記制御手段は、（１）前記第一の情報蓄積出力手段によって蓄積されている情報の量が所定値未満である場合には、前記第一の情報蓄積出力手段が前記再生された情報を蓄積するように、（２）前記第二の情報蓄積出力手段によって蓄積されている情報の量が所定値未満である場合には、前記第二の情報蓄積出力手段が前記再生された情報を蓄積するように、前記再生手段と前記選択手段とを制御する請求項３または６記載の情報再生装置。
【請求項１０】
前記制御手段は、（１）前記音声情報蓄積出力手段によって蓄積されている情報の量が所定値未満である場合には、前記第一の情報蓄積出力手段または前記第二の情報蓄積出力手段が前記再生された音声に関する情報を蓄積するように、（２）前記映像情報蓄積出力手段によって蓄積されている情報の量が所定値未満である場合には、前記第一の情報蓄積出力手段または前記第二の情報蓄積出力手段が前記再生された映像に関する情報を蓄積するように、前記再生手段と前記選択手段とを制御する請求項４または５記載の情報再生装置。
【請求項１１】
音声に関する情報および映像に関する情報を再生する再生ステップと、
前記再生された情報を第一の情報蓄積出力手段に蓄積し出力する第一の情報蓄積出力ステップと、
前記再生された情報を第二の情報蓄積出力手段に蓄積し出力する第二の情報蓄積出力ステップと、
前記第一の情報蓄積出力手段に前記再生された情報を蓄積するのか前記第二の情報蓄積出力手段に前記再生された情報を蓄積するのかを選択する選択ステップと、
前記第一の情報蓄積出力手段から出力された情報と前記第二の情報蓄積出力手段から出力された情報とが、前記音声に関するのか前記映像に関するのかを解析する解析ステップと、
前記解析された情報が前記音声に関する場合には、前記出力された音声に関する情報を音声情報蓄積出力手段に蓄積し出力する音声情報蓄積出力ステップと、
前記解析された情報が前記映像に関する場合には、前記出力された映像に関する情報を映像情報蓄積出力手段に蓄積し出力する映像情報蓄積出力ステップと、
前記音声情報蓄積出力手段から前記出力された音声に関する情報を復号する音声情報復号ステップと、
前記映像情報蓄積出力手段から前記出力された映像に関する情報を復号する映像情報復号ステップと、
前記第一の情報蓄積出力手段に蓄積されている情報の量と前記第二の情報蓄積出力手段に蓄積されている情報の量と前記音声情報蓄積出力手段に蓄積されている情報の量と前記映像情報蓄積出力手段に蓄積されている情報の量との全部または一部を検知する検知ステップと、
前記検知の結果に基づいて、前記再生ステップと前記第一の情報蓄積出力ステップと前記第二の情報蓄積出力ステップと前記選択ステップとを少なくとも制御する制御ステップとを備えた情報再生方法。
【請求項１２】
請求項１１記載の情報再生方法の、音声に関する情報および映像に関する情報を再生する再生ステップと、前記再生された情報を第一の情報蓄積出力手段に蓄積し出力する第一の情報蓄積出力ステップと、前記再生された情報を第二の情報蓄積出力手段に蓄積し出力する第二の情報蓄積出力ステップと、前記第一の情報蓄積出力手段に前記再生された情報を蓄積するのか前記第二の情報蓄積出力手段に前記再生された情報を蓄積するのかを選択する選択ステップと、前記第一の情報蓄積出力手段から出力された情報と前記第二の情報蓄積出力手段から出力された情報とが、前記音声に関するのか前記映像に関するのかを解析する解析ステップと、前記解析された情報が前記音声に関する場合には、前記出力された音声に関する情報を音声情報蓄積出力手段に蓄積し出力する音声情報蓄積出力ステップと、前記解析された情報が前記映像に関する場合には、前記出力された映像に関する情報を映像情報蓄積出力手段に蓄積し出力する映像情報蓄積出力ステップと、前記音声情報蓄積出力手段から前記出力された音声に関する情報を復号する音声情報復号ステップと、前記映像情報蓄積出力手段から前記出力された映像に関する情報を復号する映像情報復号ステップと、前記第一の情報蓄積出力手段に蓄積されている情報の量と前記第二の情報蓄積出力手段に蓄積されている情報の量と前記音声情報蓄積出力手段に蓄積されている情報の量と前記映像情報蓄積出力手段に蓄積されている情報の量との全部または一部を検知する検知ステップと、前記検知の結果に基づいて、前記再生ステップと前記第一の情報蓄積出力ステップと前記第二の情報蓄積出力ステップと前記選択ステップとを少なくとも制御する制御ステップとをコンピュータに実行させるためのプログラム。
【請求項１３】
請求項１２記載のプログラムを担持した記録媒体であって、コンピュータにより処理可能な記録媒体。
【請求項１４】
音声に関する情報および映像に関する情報を再生する再生手段と、
前記再生された音声に関する情報と前記再生された映像に関する情報とを分離する分離手段と、
前記分離された音声に関する情報を蓄積する音声情報蓄積手段と、
前記分離された映像に関する情報を蓄積する映像情報蓄積手段と、
前記蓄積された音声に関する情報を復号する音声情報復号手段と、
前記蓄積された映像に関する情報を復号する映像情報復号手段と、
前記音声情報蓄積手段によって蓄積されている情報の量と前記映像情報蓄積手段によって蓄積されている情報の量とを検知する検知手段と、
前記検知の結果に基づいて、前記再生手段を制御する制御手段とを備えた情報再生装置。
【請求項１５】
音声に関する情報および映像に関する情報を再生する再生ステップと、
前記再生された音声に関する情報と前記再生された映像に関する情報とを分離する分離ステップと、
前記分離された音声に関する情報を音声情報蓄積手段に蓄積する音声情報蓄積ステップと、
前記分離された映像に関する情報を映像情報蓄積手段に蓄積する映像情報蓄積ステップと、
前記蓄積された音声に関する情報を復号する音声情報復号ステップと、
前記蓄積された映像に関する情報を復号する映像情報復号ステップと、
前記音声情報蓄積手段に蓄積されている情報の量と前記映像情報蓄積手段に蓄積されている情報の量とを検知する検知ステップと、
前記検知の結果に基づいて、前記再生ステップを制御する制御ステップとを備えた情報再生方法。
【請求項１６】
請求項１５記載の情報再生方法の、音声に関する情報および映像に関する情報を再生する再生ステップと、前記再生された音声に関する情報と前記再生された映像に関する情報とを分離する分離ステップと、前記分離された音声に関する情報を音声情報蓄積手段に蓄積する音声情報蓄積ステップと、前記分離された映像に関する情報を映像情報蓄積手段に蓄積する映像情報蓄積ステップと、前記蓄積された音声に関する情報を復号する音声情報復号ステップと、前記蓄積された映像に関する情報を復号する映像情報復号ステップと、前記音声情報蓄積手段に蓄積されている情報の量と前記映像情報蓄積手段に蓄積されている情報の量とを検知する検知ステップと、前記検知の結果に基づいて、前記再生ステップを制御する制御ステップとをコンピュータに実行させるためのプログラム。
【請求項１７】
請求項１６記載のプログラムを担持した記録媒体であって、コンピュータにより処理可能な記録媒体。
【発明の詳細な説明】
【技術分野】
【０００１】
本発明は、たとえば記録媒体から情報を再生する情報再生装置、情報再生方法、プログラム、および記録媒体に関するものである。
【背景技術】
【０００２】
従来の情報再生装置は、記録媒体から再生した情報を蓄積するための情報蓄積手段を１つ備えたものが一般的によく知られている（例えば、特許文献１参照。）。
【０００３】
図１６は、従来の情報再生装置のブロック図を示すものである。
【０００４】
図１６において、従来の情報再生装置は、記録媒体１から情報を再生する再生処理手段２と、再生処理手段２で処理した情報を蓄積する情報蓄積手段１３と、情報蓄積手段１３から出力される情報の内容を解析する情報解析手段６と、情報解析手段６から出力される映像情報を蓄積する映像情報蓄積手段７と、情報解析手段から出力される音声情報を蓄積する音声情報蓄積手段８と、映像情報蓄積手段７から出力される映像情報を復号する映像復号手段９と、音声情報蓄積手段８から出力される音声情報を復号する音声復号手段１０と、情報蓄積手段１３の情報蓄積量を検知する情報蓄積量検知手段１０１１と、再生処理手段２、情報蓄積手段１３、映像復号手段９、音声復号手段１０を制御するためのシステム制御手段１０１２とで構成されている。
【０００５】
このような情報再生装置においては、情報蓄積手段１３への入力は情報蓄積手段１３の情報蓄積量が所定値未満であれば、記録媒体１から情報を再生し、再生処理を実行後、情報蓄積手段１３への入力を行い、所定値以上であれば入力を停止する。
【０００６】
一方、情報蓄積手段１３からの出力は、情報蓄積手段１３の情報蓄積量が所定値以上であれば、情報解析手段６への情報出力を行う。情報解析手段６では情報に含まれている映像音声識別情報をもとに解析を行い、映像情報であれば映像情報蓄積手段７へ、音声情報であれば音声情報蓄積手段８へ情報を出力する。
【０００７】
映像情報蓄積手段７、音声情報蓄積手段８は、先入れ先出し（Ｆｉｒｓｔ  Ｉｎ  Ｆｉｒｓｔ  Ｏｕｔ、以下ＦＩＦＯと示す）動作を行い、映像復号手段９、音声復号手段１０の要求に応じて情報を出力する。
【０００８】
ＶｉｄｅｏＣＤに用いられているＭＰＥＧ１やＤＶＤに用いられているＭＰＥＧ２という規格で圧縮された映像と音声が多重化された情報は、再生時に必要な映像情報蓄積手段７と音声情報蓄積手段８の蓄積量が規格上規定されている。
【０００９】
そして、その規定された蓄積量以上の映像情報蓄積手段７と音声情報蓄積手段８を備えていれば、個別にそれぞれの蓄積量を管理しなくても、情報蓄積手段１３の情報蓄積量に応じて、記録媒体１から情報の再生、出力を行えば、通常は、映像情報蓄積手段７、音声情報蓄積手段８のどちらも情報蓄積量がなくなることなく動作し、音声、映像が乱れることなく再生できるようになっている。
【００１０】
また、ＷＭＡ（Ｗｉｎｄｏｗｓ（登録商標）  Ｍｅｄｉａ  Ａｕｄｉｏ）、ＭＰ３（ＭＰＥＧ１  Ａｕｄｉｏ  ｌａｙｅｒ  III）といった音声情報や、ＪＰＥＧ（Ｊｏｉｎｔ  Ｐｈｏｔｏｇｒａｐｈｉｃ  Ｃｏｄｉｎｇ  Ｅｘｐｅｒｔｓ  Ｇｒｏｕｐ）といった映像情報などを再生する場合は、音声情報蓄積手段８、映像情報蓄積手段７のいずれかしか使用しないため、同様の制御を行うことで、通常は、音声または映像の乱れることのない再生が可能である。
【特許文献１】特許第２６９０８６１号公報
【発明の開示】
【発明が解決しようとする課題】
【００１１】
ところで、近年、記録媒体の容量増加に伴い、同一記録媒体上に上述のような音声情報と映像情報を複数記録することが可能となり、これに伴い映像情報と音声情報とを同時に再生することが要求されている。
【００１２】
しかしながら、上述した従来の情報再生装置は、映像情報と音声情報の同時再生を行おうとした場合、情報蓄積手段１３が１つだけであり、また映像情報蓄積手段７と音声情報蓄積手段８の情報蓄積量を検知できないため、どのタイミングでどちらの情報を記録媒体１から再生して情報蓄積手段１３に蓄積すればよいのか判断ができないことがあった。
【００１３】
また、従来の情報再生装置は、どのタイミングで情報蓄積手段１３から映像情報と音声情報の出力を切り換えればよいかを判断ができないことがあった。
【００１４】
このため、再生途中で、音声情報蓄積手段８の情報蓄積量がなくなって音声が途切れたり、映像情報蓄積手段７の情報蓄積量がなくなって映像が停止してしまうことがあるなどの課題があった。
【００１５】
本発明は、上記従来のこのような課題を考慮し、音声の途切れや映像の停止がより低減された音声情報と映像情報の同時再生を行うことができる情報再生装置、情報再生方法、プログラム、および記録媒体を提供することを目的とする。
【課題を解決するための手段】
【００１６】
第１の本発明は、音声に関する情報および映像に関する情報を再生する再生手段と、
前記再生された情報を蓄積し出力する第一の情報蓄積出力手段と、
前記再生された情報を蓄積し出力する第二の情報蓄積出力手段と、
前記第一の情報蓄積出力手段が前記再生された情報を蓄積するのか前記第二の情報蓄積出力手段が前記再生された情報を蓄積するのかを選択する選択手段と、
前記第一の情報蓄積出力手段によって出力された情報と前記第二の情報蓄積出力手段によって出力された情報とが、前記音声に関するのか前記映像に関するのかを解析する解析手段と、
前記解析された情報が前記音声に関する場合には、前記出力された音声に関する情報を蓄積し出力する音声情報蓄積出力手段と、
前記解析された情報が前記映像に関する場合には、前記出力された映像に関する情報を蓄積し出力する映像情報蓄積出力手段と、
前記音声情報蓄積出力手段によって前記出力された音声に関する情報を復号する音声情報復号手段と、
前記映像情報蓄積出力手段によって前記出力された映像に関する情報を復号する映像情報復号手段と、
前記第一の情報蓄積出力手段によって蓄積されている情報の量と前記第二の情報蓄積出力手段によって蓄積されている情報の量と前記音声情報蓄積出力手段によって蓄積されている情報の量と前記映像情報蓄積出力手段によって蓄積されている情報の量との全部または一部を検知する検知手段と、
前記検知の結果に基づいて、前記再生手段と前記第一の情報蓄積出力手段と前記第二の情報蓄積出力手段と前記選択手段とを少なくとも制御する制御手段とを備えた情報再生装置である。
【００１７】
第２の本発明は、前記検知手段は、前記第一の情報蓄積出力手段によって蓄積されている情報の量と前記第二の情報蓄積出力手段によって蓄積されている情報の量と前記音声情報蓄積出力手段によって蓄積されている情報の量と前記映像情報蓄積出力手段によって蓄積されている情報の量との全部を検知する第１の本発明の情報再生装置である。
【００１８】
第３の本発明は、前記制御手段は、（ａ）前記検知された前記第一の情報蓄積出力手段によって蓄積されている情報の量と前記第二の情報蓄積出力手段によって蓄積されている情報の量とに応じて、前記再生手段と前記選択手段とを制御し、（ｂ）前記検知された前記音声情報蓄積出力手段によって蓄積されている情報の量と前記映像情報蓄積出力手段によって蓄積されている情報の量とに応じて、前記第一の情報蓄積出力手段と前記第二の情報蓄積出力手段とを制御する第２の本発明の情報再生装置である。
【００１９】
第４の本発明は、前記制御手段は、（ａ）前記検知された前記第一の情報蓄積出力手段によって蓄積されている情報の量と前記第二の情報蓄積出力手段によって蓄積されている情報の量とに応じて、前記第一の情報蓄積出力手段と前記第二の情報蓄積出力手段とを制御し、（ｂ）前記検知された前記音声情報蓄積出力手段によって蓄積されている情報の量と前記映像情報蓄積出力手段によって蓄積されている情報の量とに応じて、前記再生手段と前記選択手段とを制御する第２の本発明の情報再生装置である。
【００２０】
第５の本発明は、前記検知手段は、前記音声情報蓄積出力手段によって蓄積されている情報の量と前記映像情報蓄積出力手段によって蓄積されている情報の量とを検知し、
前記制御手段は、前記検知された前記音声情報蓄積出力手段によって蓄積されている情報の量と前記映像情報蓄積出力手段によって蓄積されている情報の量とに応じて、前記再生手段と前記第一の情報蓄積出力手段と前記第二の情報蓄積出力手段と前記選択手段とを制御する制御手段とを制御する第１の本発明の情報再生装置である。
【００２１】
第６の本発明は、前記検知手段は、前記第一の情報蓄積出力手段によって蓄積されている情報の量と前記第二の情報蓄積出力手段によって蓄積されている情報の量とを検知し、
前記制御手段は、前記検知された前記第一の情報蓄積出力手段によって蓄積されている情報の量と前記第二の情報蓄積出力手段によって蓄積されている情報の量とに応じて、前記再生手段と前記第一の情報蓄積出力手段と前記第二の情報蓄積出力手段と前記選択手段とを制御する第１の本発明の情報再生装置である。
【００２２】
第７の本発明は、前記制御手段は、（１）前記音声情報蓄積出力手段によって蓄積されている情報の量が所定値未満である場合には、前記第一の情報蓄積出力手段または前記第二の情報蓄積出力手段が前記蓄積された音声に関する情報を出力するように、（２）前記映像情報蓄積出力手段によって蓄積されている情報の量が所定値未満である場合には、前記第一の情報蓄積出力手段または前記第二の情報蓄積出力手段が前記蓄積された映像に関する情報を出力するように、前記第一の情報蓄積出力手段と前記第二の情報蓄積出力手段とを制御する第３または第５の本発明の情報再生装置である。
【００２３】
第８の本発明は、前記制御手段は、（１）前記第一の情報蓄積出力手段によって蓄積されている情報の量が所定値以上である場合には、前記第一の情報蓄積出力手段が前記蓄積された情報を出力するように、（２）前記第二の情報蓄積出力手段によって蓄積されている情報の量が所定値以上である場合には、前記第二の情報蓄積出力手段が前記蓄積された情報を出力するように、前記第一の情報蓄積出力手段と前記第二の情報蓄積出力手段とを制御する第４または第６の本発明の情報再生装置である。
【００２４】
第９の本発明は、前記制御手段は、（１）前記第一の情報蓄積出力手段によって蓄積されている情報の量が所定値未満である場合には、前記第一の情報蓄積出力手段が前記再生された情報を蓄積するように、（２）前記第二の情報蓄積出力手段によって蓄積されている情報の量が所定値未満である場合には、前記第二の情報蓄積出力手段が前記再生された情報を蓄積するように、前記再生手段と前記選択手段とを制御する第３または第６の本発明の情報再生装置である。
【００２５】
第１０の本発明は、前記制御手段は、（１）前記音声情報蓄積出力手段によって蓄積されている情報の量が所定値未満である場合には、前記第一の情報蓄積出力手段または前記第二の情報蓄積出力手段が前記再生された音声に関する情報を蓄積するように、（２）前記映像情報蓄積出力手段によって蓄積されている情報の量が所定値未満である場合には、前記第一の情報蓄積出力手段または前記第二の情報蓄積出力手段が前記再生された映像に関する情報を蓄積するように、前記再生手段と前記選択手段とを制御する第４または第５の本発明の情報再生装置である。
【００２６】
第１１の本発明は、音声に関する情報および映像に関する情報を再生する再生ステップと、
前記再生された情報を第一の情報蓄積出力手段に蓄積し出力する第一の情報蓄積出力ステップと、
前記再生された情報を第二の情報蓄積出力手段に蓄積し出力する第二の情報蓄積出力ステップと、
前記第一の情報蓄積出力手段に前記再生された情報を蓄積するのか前記第二の情報蓄積出力手段に前記再生された情報を蓄積するのかを選択する選択ステップと、
前記第一の情報蓄積出力手段から出力された情報と前記第二の情報蓄積出力手段から出力された情報とが、前記音声に関するのか前記映像に関するのかを解析する解析ステップと、
前記解析された情報が前記音声に関する場合には、前記出力された音声に関する情報を音声情報蓄積出力手段に蓄積し出力する音声情報蓄積出力ステップと、
前記解析された情報が前記映像に関する場合には、前記出力された映像に関する情報を映像情報蓄積出力手段に蓄積し出力する映像情報蓄積出力ステップと、
前記音声情報蓄積出力手段から前記出力された音声に関する情報を復号する音声情報復号ステップと、
前記映像情報蓄積出力手段から前記出力された映像に関する情報を復号する映像情報復号ステップと、
前記第一の情報蓄積出力手段に蓄積されている情報の量と前記第二の情報蓄積出力手段に蓄積されている情報の量と前記音声情報蓄積出力手段に蓄積されている情報の量と前記映像情報蓄積出力手段に蓄積されている情報の量との全部または一部を検知する検知ステップと、
前記検知の結果に基づいて、前記再生ステップと前記第一の情報蓄積出力ステップと前記第二の情報蓄積出力ステップと前記選択ステップとを少なくとも制御する制御ステップとを備えた情報再生方法である。
【００２７】
第１２の本発明は、第１１の本発明の情報再生方法の、音声に関する情報および映像に関する情報を再生する再生ステップと、前記再生された情報を第一の情報蓄積出力手段に蓄積し出力する第一の情報蓄積出力ステップと、前記再生された情報を第二の情報蓄積出力手段に蓄積し出力する第二の情報蓄積出力ステップと、前記第一の情報蓄積出力手段に前記再生された情報を蓄積するのか前記第二の情報蓄積出力手段に前記再生された情報を蓄積するのかを選択する選択ステップと、前記第一の情報蓄積出力手段から出力された情報と前記第二の情報蓄積出力手段から出力された情報とが、前記音声に関するのか前記映像に関するのかを解析する解析ステップと、前記解析された情報が前記音声に関する場合には、前記出力された音声に関する情報を音声情報蓄積出力手段に蓄積し出力する音声情報蓄積出力ステップと、前記解析された情報が前記映像に関する場合には、前記出力された映像に関する情報を映像情報蓄積出力手段に蓄積し出力する映像情報蓄積出力ステップと、前記音声情報蓄積出力手段から前記出力された音声に関する情報を復号する音声情報復号ステップと、前記映像情報蓄積出力手段から前記出力された映像に関する情報を復号する映像情報復号ステップと、前記第一の情報蓄積出力手段に蓄積されている情報の量と前記第二の情報蓄積出力手段に蓄積されている情報の量と前記音声情報蓄積出力手段に蓄積されている情報の量と前記映像情報蓄積出力手段に蓄積されている情報の量との全部または一部を検知する検知ステップと、前記検知の結果に基づいて、前記再生ステップと前記第一の情報蓄積出力ステップと前記第二の情報蓄積出力ステップと前記選択ステップとを少なくとも制御する制御ステップとをコンピュータに実行させるためのプログラムである。
【００２８】
第１３の本発明は、第１２の本発明のプログラムを担持した記録媒体であって、コンピュータにより処理可能な記録媒体である。
【００２９】
第１４の本発明は、音声に関する情報および映像に関する情報を再生する再生手段と、
前記再生された音声に関する情報と前記再生された映像に関する情報とを分離する分離手段と、
前記分離された音声に関する情報を蓄積する音声情報蓄積手段と、
前記分離された映像に関する情報を蓄積する映像情報蓄積手段と、
前記蓄積された音声に関する情報を復号する音声情報復号手段と、
前記蓄積された映像に関する情報を復号する映像情報復号手段と、
前記音声情報蓄積手段によって蓄積されている情報の量と前記映像情報蓄積手段によって蓄積されている情報の量とを検知する検知手段と、
前記検知の結果に基づいて、前記再生手段を制御する制御手段とを備えた情報再生装置である。
【００３０】
第１５の本発明は、音声に関する情報および映像に関する情報を再生する再生ステップと、
前記再生された音声に関する情報と前記再生された映像に関する情報とを分離する分離ステップと、
前記分離された音声に関する情報を音声情報蓄積手段に蓄積する音声情報蓄積ステップと、
前記分離された映像に関する情報を映像情報蓄積手段に蓄積する映像情報蓄積ステップと、
前記蓄積された音声に関する情報を復号する音声情報復号ステップと、
前記蓄積された映像に関する情報を復号する映像情報復号ステップと、
前記音声情報蓄積手段に蓄積されている情報の量と前記映像情報蓄積手段に蓄積されている情報の量とを検知する検知ステップと、
前記検知の結果に基づいて、前記再生ステップを制御する制御ステップとを備えた情報再生方法である。
【００３１】
第１６の本発明は、第１５の本発明の情報再生方法の、音声に関する情報および映像に関する情報を再生する再生ステップと、前記再生された音声に関する情報と前記再生された映像に関する情報とを分離する分離ステップと、前記分離された音声に関する情報を音声情報蓄積手段に蓄積する音声情報蓄積ステップと、前記分離された映像に関する情報を映像情報蓄積手段に蓄積する映像情報蓄積ステップと、前記蓄積された音声に関する情報を復号する音声情報復号ステップと、前記蓄積された映像に関する情報を復号する映像情報復号ステップと、前記音声情報蓄積手段に蓄積されている情報の量と前記映像情報蓄積手段に蓄積されている情報の量とを検知する検知ステップと、前記検知の結果に基づいて、前記再生ステップを制御する制御ステップとをコンピュータに実行させるためのプログラムである。
【００３２】
第１７の本発明は、第１６の本発明のプログラムを担持した記録媒体であって、コンピュータにより処理可能な記録媒体である。
【発明の効果】
【００３３】
本発明は、音声の途切れや映像の停止がより低減された音声情報と映像情報の同時再生を行うことができるという長所を有する。
。
【発明を実施するための最良の形態】
【００３４】
以下、本発明の実施の形態について図面を参照しながら説明する。
【００３５】
（実施の形態１）
はじめに、図１を主として参照しながら、本実施の形態の情報再生装置の構成について説明を行う。
【００３６】
図１は、本発明の実施の形態１における情報再生装置のブロック図を示す。
【００３７】
本実施の形態の情報再生装置は、記録媒体１から音声に関する情報および映像に関する情報を再生する再生処理手段２と、再生された情報を蓄積し出力する第一の情報蓄積手段４と、再生された情報を蓄積し出力する第二の情報蓄積手段５とを備えている。
【００３８】
また、本実施の形態の情報再生装置は、さらに、第一の情報蓄積手段４が再生された情報を蓄積するのか第二の情報蓄積手段５が再生された情報を蓄積するのかを選択する情報蓄積選択手段３と、第一の情報蓄積手段４によって出力された情報と第二の情報蓄積手段５によって出力された情報とが、音声に関するのか映像に関するのかを解析する情報解析手段６と、解析された情報が音声に関する場合には、出力された音声に関する情報を蓄積し出力する音声情報蓄積手段８と、解析された情報が映像に関する場合には、出力された映像に関する情報を蓄積し出力する映像情報蓄積手段７とを備えている。
【００３９】
また、本実施の形態の情報再生装置は、さらに、音声情報蓄積手段８によって出力された音声に関する情報を復号する音声復号手段１０と、映像情報蓄積手段７によって出力された映像に関する情報を復号する映像復号手段９とを備えている。
【００４０】
また、本実施の形態の情報再生装置は、さらに、第一の情報蓄積手段４によって蓄積されている情報の量と第二の情報蓄積手段５によって蓄積されている情報の量と音声情報蓄積手段８によって蓄積されている情報の量と映像情報蓄積手段７によって蓄積されている情報の量との全部または一部を検知する情報蓄積量検知手段１１を備えている。
【００４１】
また、本実施の形態の情報再生装置は、さらに、検知の結果に基づいて、再生処理手段２と第一の情報蓄積手段４と第二の情報蓄積手段５と情報蓄積選択手段３とを少なくとも制御するシステム制御手段１２を備えている。
【００４２】
ただし、情報蓄積量検知手段１１は、第一の情報蓄積手段４によって蓄積されている情報の量と第二の情報蓄積手段５によって蓄積されている情報の量と音声情報蓄積手段８によって蓄積されている情報の量と映像情報蓄積手段７によって蓄積されている情報の量との全部を検知する手段である。
【００４３】
そして、システム制御手段１２は、（ａ）検知された第一の情報蓄積手段４によって蓄積されている情報の量と第二の情報蓄積手段５によって蓄積されている情報の量とに応じて、再生処理手段２と情報蓄積選択手段３とを制御し、（ｂ）検知された音声情報蓄積手段８によって蓄積されている情報の量と映像情報蓄積手段７によって蓄積されている情報の量とに応じて、第一の情報蓄積手段４と第二の情報蓄積手段５とを制御する手段である。
【００４４】
本実施の形態においては、記録媒体１から音声情報と映像情報とが再生され、第一の情報蓄積手段４に映像情報が蓄積され、第二の情報蓄積手段５に音声情報が蓄積される（これは、一旦開始された動作が終了するまでは変更されないが、その後に再度動作が開始された際には変更されるかもしれない）。
【００４５】
つぎに、本実施の形態の情報再生装置の動作について説明を行う。なお、本実施の形態の情報再生装置の動作について説明を行いながら、本発明の情報再生方法の一実施の形態についても説明を行う（その他の実施の形態に関しても同様である）。
【００４６】
まず、記録媒体１から第一の情報蓄積手段４または第二の情報蓄積手段５に情報を蓄積する処理について、図１と図２を用いて説明する。
【００４７】
図２は、本発明の実施の形態１の制御手順をしめすフローチャート（その１）である。
【００４８】
システム制御手段１２は、初めに、記録媒体１から再生する映像情報を第一の情報蓄積手段４に蓄積し、音声情報を第二の情報蓄積手段５に蓄積すると決定する。
【００４９】
次にシステム制御手段１２は、情報蓄積量検知手段１１で、第一の情報蓄積手段４と第二の情報蓄積手段５の情報蓄積量を確認する（図２ステップ２１）。
【００５０】
第一の情報蓄積手段４および第二の情報蓄積手段５の情報蓄積量が所定値以上であれば（図２ステップ２２）、記録媒体１からの情報の再生を停止し（図２ステップ２３）、再び情報蓄積量確認を行う。
【００５１】
もし、情報蓄積量が所定値未満であれば（図２ステップ２２）、記録媒体１から再生した情報を蓄積する第一の情報蓄積手段４または第二の情報蓄積手段５を選択する（図２ステップ２４）。
【００５２】
初めに対応する情報を決めているので、第一の情報蓄積手段４または第二の情報蓄積手段５が選択されれば自動的に、記録媒体１から再生する情報も音声情報なのか映像情報なのかが選択される。
【００５３】
システム制御手段１２は、選択された情報を記録媒体１から再生し、再生処理手段２で処理した後に、情報蓄積選択手段３で、事前に選択された第一の情報蓄積手段４または第二の情報蓄積手段５を選択し、情報を蓄積する（図２ステップ２５）。
【００５４】
記録媒体１からの情報再生停止要求があるかどうかを判断し（図２ステップ２６）、要求があれば処理を終了し、なければ処理を継続する。
【００５５】
次に、第一のまたは第二の情報蓄積手段から情報を出力し、映像、音声を再生する処理について、図１と図３を用いて説明する。
【００５６】
図３は、本発明の実施の形態１の制御手順をしめすフローチャート（その２）である。
【００５７】
システム制御手段１２は、情報蓄積量検知手段１１で、映像情報蓄積手段７と音声情報蓄積手段８の情報蓄積量を確認する（図３ステップ３１）。
【００５８】
映像情報蓄積手段７または音声情報蓄積手段８の情報蓄積量が所定値以上であれば（図３ステップ３２）、第一の情報蓄積手段４または第二の情報蓄積手段５からの情報の出力を停止し（図３ステップ３３）、再び情報蓄積量確認を行う。
【００５９】
もし、情報蓄積量が所定値未満であれば（図３ステップ３２）、情報を出力すべき第一の情報蓄積手段４または第二の情報蓄積手段５を選択する（図３ステップ３４）。
【００６０】
第一の情報蓄積手段４、第二の情報蓄積手段５のうち選択された方から情報を出力する（図３ステップ３５）。
【００６１】
出力した情報は情報解析手段６が解析を行い、映像情報か音声情報かを解析して、映像情報ならば映像情報蓄積手段７に、音声情報ならば音声情報蓄積手段８に蓄積する。
【００６２】
映像情報蓄積手段７、音声情報蓄積手段８は、ＦＩＦＯ動作を行い、映像復号手段９、音声復号手段１０の要求に応じて情報を出力する。
【００６３】
映像復号手段９は映像情報蓄積手段７から映像情報を取り出し復号して、映像信号を出力する。
【００６４】
また、音声復号手段１０は音声情報蓄積手段８から音声情報を取り出し復号して、音声信号を出力する。
【００６５】
情報蓄積手段からの情報出力停止要求があるかどうかを判断し（図３ステップ３６）、要求があれば処理を終了し、なければ処理を継続する。
【００６６】
以上のように本実施の形態によれば、第一の情報蓄積手段４、第二の情報蓄積手段５の情報蓄積量に応じて、記録媒体１から映像情報、音声情報のどちらを再生して、第一の情報蓄積手段４、第二の情報蓄積手段５のどちらに蓄積するか制御し、また映像情報蓄積手段７と音声情報蓄積手段８の情報蓄積量に応じて、第一の情報蓄積手段４、第二の情報蓄積手段５のどちらから情報を再生するかを制御するので、音声情報、映像情報それぞれの情報の蓄積状況を個別に検知して、情報蓄積量が少ない方を再生するようにできる。
【００６７】
このため、音声途切れや映像停止なしで、同一記録媒体から映像情報と音声情報を同時に再生することができることとなる。
【００６８】
なお、本実施の形態においては、第一の情報蓄積手段４に映像情報が蓄積され、第二の情報蓄積手段５に音声情報が蓄積されたが、第一の情報蓄積手段４に音声情報が蓄積され、第二の情報蓄積手段に映像情報が蓄積されてもよいことは、もちろんである（その他の実施の形態においても同様である）。
【００６９】
（１）なお、本実施の形態と類似したつぎのような実施の形態も考えられる。
【００７０】
この実施の形態のブロック図は、実施の形態１のブロック図である図１と同じ構成であり、処理も実施の形態１で説明した図２、図３と基本的には同様である。
【００７１】
この実施の形態では前述の実施の形態１で説明した図３ステップ３４の処理だけが異なるので、この点について図８を参照しながら説明する。図８においてステップ８４以外は図３と同様の動作である。
【００７２】
情報蓄積量が所定値未満であれば（図８ステップ３２）、まず映像情報蓄積手段７の情報蓄積量が所定値未満であるかどうかをチェックする（図８ステップ８４１）。所定値以上であれば、映像情報はまだ映像情報蓄積手段に十分蓄積されていると判断し、音声情報を再生するために音声情報蓄積用に設定された第二の情報蓄積手段５を選択する（図８ステップ８４２）。所定値未満であれば次に、音声情報蓄積手段８の情報蓄積量が所定値未満であるかどうかをチェックする（図８ステップ８４３）。音声情報蓄積手段８の情報蓄積量が所定値未満であれば、映像情報蓄積手段７と音声情報蓄積手段８との両方が情報蓄積量が所定値未満であり、この場合は、音声情報を再生するために音声情報蓄積用に設定された第二の情報蓄積手段５を選択する（図８ステップ８４２）。音声情報蓄積手段８の情報蓄積量が所定値以上であれば、音声情報はまだ音声情報蓄積手段に十分蓄積されていると判断し、映像情報を再生するために映像情報蓄積用に設定された第一の情報蓄積手段４を選択する（図８ステップ８４４）。
【００７３】
以上のようにこの実施の形態によれば、第一の情報蓄積手段４、第二の情報蓄積手段５からの情報の出力制御において、映像情報蓄積手段７と音声情報蓄積手段８の情報蓄積量に応じて制御を行い、それぞれの情報の蓄積状況を個別に検知して、情報蓄積量が少ない方を再生し、両方の情報とも所定値未満の場合には、音声情報を優先して出力するように制御するので、音声途切れがなしで同一記録媒体から映像情報と音声情報を同時に再生することができることとなる。
【００７４】
（２）また、本実施の形態と類似したつぎのような実施の形態も考えられる。
【００７５】
この実施の形態のブロック図は、実施の形態１のブロック図である図１と同じ構成であり、処理も実施の形態１で説明した図２、図３と基本的には同様である。
【００７６】
この実施の形態では前述の実施の形態１で説明した図３ステップ３４の処理だけが異なるので、この点について図９を参照しながら説明する。図９においてステップ９４以外は図３と同様の動作である。
【００７７】
情報蓄積量が所定値未満であれば（図９ステップ３２）、まず映像情報蓄積手段７の情報蓄積量が所定値未満であるかどうかをチェックする（図９ステップ９４１）。映像情報蓄積手段７の情報蓄積量が所定値以上であれば、映像情報はまだ映像情報蓄積手段７に十分蓄積されていると判断し、音声情報を再生するために音声情報蓄積用に設定された第二の情報蓄積手段５を選択する（図９ステップ９４２）。映像情報蓄積手段７の情報蓄積量が所定値未満であれば、音声情報蓄積手段８の情報蓄積量が所定値未満であるかどうかはチェックすることなく、映像情報を再生するために映像情報蓄積用に設定された第一の情報蓄積手段４を選択する（図９ステップ９４３）。
【００７８】
以上のようにこの実施の形態によれば、第一の情報蓄積手段４、第二の情報蓄積手段５からの情報出力制御において、映像情報蓄積手段７と音声情報蓄積手段８の情報蓄積量に応じて制御を行い、それぞれの情報の蓄積状況を個別に検知して、情報蓄積量が少ない方を再生し、両方の情報とも所定値未満の場合には、映像情報を優先して出力するように制御するので、映像停止なしで同一記録媒体から映像情報と音声情報を同時に再生することができることとなる。
【００７９】
（３）また、本実施の形態と類似したつぎのような実施の形態も考えられる。
【００８０】
この実施の形態のブロック図は、実施の形態１のブロック図である図１と同じ構成であり、処理も実施の形態１で説明した図１、図２と基本的には同様である。
【００８１】
この実施の形態では前述の実施の形態１で説明した図２ステップ２４の処理だけが異なるので、この点について図１２を参照しながら説明する。図１２においてステップ１２４以外は図２と同様動作である。
【００８２】
第一の情報蓄積手段４または第二の情報蓄積手段５の情報蓄積量が所定値未満であれば（図１２ステップ２２）、まず第一の情報蓄積手段４の情報蓄積量が所定値未満であるかどうかをチェックする（図１２ステップ１２４１）。第一の情報蓄積手段４の情報蓄積量が所定値以上であれば、第一の情報蓄積手段４に十分蓄積されていると判断し、第二の情報蓄積手段５を選択する（図１２ステップ１２４２）。第一の情報蓄積手段４の情報蓄積量が所定値未満であれば、次に第二の情報蓄積手段５の情報蓄積量が所定値未満であるかどうかをチェックする（図１２ステップ１２４３）。第二の情報蓄積手段５の情報蓄積量が所定値未満であれば、第一の情報蓄積手段４と第二の情報蓄積手段５との両方が情報蓄積量が所定値未満であり、この場合は、音声情報を再生するために音声情報蓄積用に設定された第二の情報蓄積手段５を選択する（図１２ステップ１２４２）。第二の情報蓄積手段５の情報蓄積量が所定値以上であれば、第一の情報蓄積手段４を選択する（図１２ステップ１２４４）。
【００８３】
以上のようにこの実施の形態によれば、記録媒体１から映像情報、音声情報のどちらを再生し、第一の情報蓄積手段４、第二の情報蓄積手段５のどちらに蓄積するかを、第一の情報蓄積手段４と第二の情報蓄積手段５の情報蓄積量に応じて制御を行い、それぞれの情報の蓄積状況を個別に検知して、情報蓄積量が少ない方を選択し、両方の情報とも所定値未満の場合には、音声情報を優先して記録媒体から再生するように制御するので、音声途切れなしで同一記録媒体から映像情報と音声情報を同時に再生することができることとなる。
【００８４】
（４）また、本実施の形態と類似したつぎのような実施の形態も考えられる。
【００８５】
この実施の形態のブロック図は、実施の形態１のブロック図である図１と同じ構成であり、処理も実施の形態１で説明した図１、図２と基本的には同様である。
【００８６】
この実施の形態では前述の実施の形態１で説明した図２ステップ２４の処理だけが異なるので、この点について図１３を参照しながら説明する。図１３においてステップ１３４以外は図２と同様動作である。
【００８７】
第一の情報蓄積手段４または第二の情報蓄積手段５の情報蓄積量が所定値未満であれば（図１３ステップ２２）、まず第一の情報蓄積手段４の情報蓄積量が所定値未満であるかどうかをチェックする（図１３ステップ１３４１）。第一の情報蓄積手段４の情報蓄積量が所定値以上であれば、第一の情報蓄積手段４に十分蓄積されていると判断し、第二の情報蓄積手段５を選択する（図１３ステップ１３４２）。第一の情報蓄積手段４の情報蓄積量が所定値未満であれば、第二の情報蓄積手段５の情報蓄積量をチェックすることなく第一の情報蓄積手段４を選択する（図１３ステップ１３４３）。
【００８８】
以上のようにこの実施の形態によれば、記録媒体１から映像情報、音声情報のどちらを再生し、第一の情報蓄積手段４、第二の情報蓄積手段４のどちらに蓄積するかを、第一の情報蓄積手段４と第二の情報蓄積手段５の情報蓄積量に応じて制御を行い、それぞれの情報の蓄積状況を個別に検知して、情報蓄積量が少ない方を再生し、両方の情報とも所定値未満の場合には、映像情報を優先して記録媒体から再生するように制御するので、映像停止なしで同一記録媒体から映像情報と音声情報を同時に再生することができることとなる。
【００８９】
（実施の形態２）
つぎに、図４を主として参照しながら、本実施の形態の情報再生装置の構成について説明を行う。
【００９０】
図４は本発明の実施の形態２における情報再生装置のブロック図を示す。
【００９１】
本実施の形態における情報再生装置の構成は、前述した実施の形態１における情報再生装置の構成と類似している。
【００９２】
ただし、情報蓄積量検知手段３１１は、音声情報蓄積手段８によって蓄積されている情報の量と映像情報蓄積手段７によって蓄積されている情報の量とを検知する手段であり、システム制御手段３１２は、検知された音声情報蓄積手段８によって蓄積されている情報の量と映像情報蓄積手段７によって蓄積されている情報の量とに応じて、再生処理手段２と第一の情報蓄積手段４と第二の情報蓄積手段５と情報蓄積選択手段３とを制御するシステム制御手段３１２とを制御する手段である。
【００９３】
つぎに、本実施の形態の情報再生装置の動作について説明を行う。
【００９４】
まず、記録媒体１から第一の情報蓄積手段４または第二の情報蓄積手段５に情報を蓄積する処理について、図４と図５を用いて説明する。
【００９５】
図５は本発明の実施の形態２の制御手順をしめすフローチャートである。
【００９６】
システム制御手段３１２は、初めに、記録媒体１から再生する映像情報を第一の情報蓄積手段４に蓄積し、音声情報を第二の情報蓄積手段５に蓄積すると決定する。
【００９７】
次にシステム制御手段３１２は、情報蓄積量検知手段３１１で、映像報蓄積手段７と音声情報蓄積手段８の情報蓄積量を確認する（図５ステップ５１）。
【００９８】
映像情報蓄積手段７、音声情報蓄積手段８の情報蓄積量が所定値以上であれば（図５ステップ５２）、記録媒体１からの情報の再生を停止し（図５ステップ５３）、再び情報蓄積量確認を行う。
【００９９】
もし、情報蓄積量が所定値未満であれば（図５ステップ５２）、記録媒体１から再生した情報を蓄積する第一の情報蓄積手段４または第二の情報蓄積手段５を選択する（図５ステップ５４）。
【０１００】
初めに対応する情報を決めているので、第一の情報蓄積手段４または第二の情報蓄積手段５が選択されれば自動的に、記録媒体１から再生する情報も選択される。
【０１０１】
システム制御手段３１２は、選択された情報を記録媒体１から再生し、再生処理手段２で処理した後に、情報蓄積選択手段３で、事前に選択された第一の情報蓄積手段４または第二の情報蓄積手段５を選択し情報を蓄積する（図５ステップ５５）。
【０１０２】
記録媒体１からの情報再生停止要求があるかどうかを判断し（図５ステップ５６）、要求があれば処理を終了し、なければ処理を継続する。
【０１０３】
第一の情報蓄積手段４または第二の情報蓄積手段５から情報を出力し、映像、音声を再生する処理については、前述した実施の形態１と同様の動作である。
【０１０４】
以上のように本実施の形態によれば、映像情報蓄積手段７と音声情報蓄積手段８の情報蓄積量に応じて、記録媒体１から映像情報、音声情報のどちらを再生して、第一の情報蓄積手段４、第二の情報蓄積手段５のどちらに蓄積するか制御し、映像情報蓄積手段７と音声情報蓄積手段８の情報蓄積量に応じて、第一の情報蓄積手段４、第二の情報蓄積手段５のどちらから情報を再生するかを制御するので、音声情報、映像情報それぞれの情報の蓄積状況を個別に検知して、情報蓄積量が少ない方を再生するようにできる。
【０１０５】
このため、音声途切れや映像停止なしで、同一記録媒体から映像情報と音声情報を同時に再生することができることとなる。
【０１０６】
（１）なお、本実施の形態と類似したつぎのような実施の形態も考えられる。
【０１０７】
この実施の形態のブロック図は、実施の形態２のブロック図である図４と同じ構成であり、処理も実施の形態２で説明した図４、図５と基本的には同様である。
【０１０８】
この実施の形態では前述の実施の形態２で説明した図５ステップ５４の処理だけが異なるので、この点について図１４を参照しながら説明する。図１４においてステップ１４４以外は図５と同様動作である。
【０１０９】
映像情報蓄積手段７、音声情報蓄積手段８の情報蓄積量が所定値未満であれば（図１４ステップ５２）、まず映像情報蓄積手段７の情報蓄積量が所定値未満であるかどうかをチェックする（図１４ステップ１４４１）。映像情報蓄積手段７の情報蓄積量が所定値以上であれば、映像情報蓄積手段７に映像情報が十分蓄積されていると判断して、音声情報蓄積用に設定されている第二の情報蓄積手段５を選択する（図１４ステップ１４４２）。映像情報蓄積手段７の情報蓄積量が所定値未満であれば、次に音声情報蓄積手段８の情報蓄積量が所定値未満であるかどうかをチェックする（図１４ステップ１４４３）。音声情報蓄積手段８の情報蓄積量が所定値未満であれば、映像情報蓄積手段７と音声情報蓄積手段８との両方が情報蓄積量が所定値未満であり、この場合は、音声情報蓄積用に設定された第二の情報蓄積手段５を選択する（図１４ステップ１４４２）。音声情報蓄積手段８の情報蓄積量が所定値以上であれば、第一の情報蓄積手段４を選択する（図１４ステップ１４４４）。
【０１１０】
以上のようにこの実施の形態によれば、記録媒体１から映像情報、音声情報のどちらを再生し、第一の情報蓄積手段４、第二の情報蓄積手段５のどちらに蓄積するかを、映像情報蓄積手段７と音声情報蓄積手段８の情報蓄積量に応じて制御を行い、それぞれの情報の蓄積状況を個別に検知して、情報蓄積量が少ない方を再生し、両方の情報とも所定値未満の場合には、音声情報を優先して記録媒体から再生するように制御するので、音声途切なしで同一記録媒体から映像情報と音声情報を同時に再生することができることとなる。
【０１１１】
（２）また、本実施の形態と類似したつぎのような実施の形態も考えられる。
【０１１２】
この実施の形態のブロック図は、実施の形態２のブロック図である図４と同じ構成であり、処理も実施の形態２で説明した図４、図５と基本的には同様である。
【０１１３】
この実施の形態では前述の実施の形態２で説明した図５ステップ５４の処理だけが異なるので、この点について図１５を参照しながら説明する。図１５においてステップ１５４以外は図５と同様動作である。
【０１１４】
映像情報蓄積手段７、音声情報蓄積手段８の情報蓄積量が所定値未満であれば（図１５ステップ５２）、まず映像情報蓄積手段７の情報蓄積量が所定値未満であるかどうかをチェックする（図１５ステップ１５４１）。映像情報蓄積手段７の情報蓄積量が所定値以上であれば、映像情報蓄積手段７に映像情報が十分蓄積されていると判断して、音声情報蓄積用に設定されている第二の情報蓄積手段５を選択する（図１５ステップ１５４２）。映像情報蓄積手段７の情報蓄積量が所定値未満であれば、音声情報蓄積手段８の情報蓄積量をチェックすることなく、映像情報蓄積用に設定された第一の情報蓄積手段４を選択する（図１５ステップ１５４４）。
【０１１５】
以上のようにこの実施の形態によれば、記録媒体１から映像情報、音声情報のどちらを再生し、第一の情報蓄積手段４、第二の情報蓄積手段５のどちらに蓄積するかを、映像情報蓄積手段７と音声情報蓄積手段８の情報蓄積量に応じて制御を行い、それぞれの情報の蓄積状況を個別に検知して、情報蓄積量が少ない方を再生し、両方の情報とも所定値未満の場合には、映像情報を優先して記録媒体から再生するように制御するので、映像停止なしで同一記録媒体から映像情報と音声情報を同時に再生することができることとなる。
【０１１６】
（実施の形態３）
つぎに、図６を主として参照しながら、本実施の形態の情報再生装置の構成について説明を行う。
【０１１７】
図６は本発明の実施の形態３における情報再生装置のブロック図を示す。
【０１１８】
本実施の形態における情報再生装置の構成は、前述した実施の形態１における情報再生装置の構成と類似している。
【０１１９】
ただし、情報蓄積量検知手段４１１は、第一の情報蓄積手段４によって蓄積されている情報の量と第二の情報蓄積手段５によって蓄積されている情報の量とを検知する手段であり、システム制御手段４１２は、検知された第一の情報蓄積手段４によって蓄積されている情報の量と第二の情報蓄積手段５によって蓄積されている情報の量とに応じて、再生処理手段２と第一の情報蓄積手段４と第二の情報蓄積手段５と情報蓄積選択手段３とを制御する手段である。
【０１２０】
つぎに、本実施の形態の情報再生装置の動作について説明を行う。
【０１２１】
まず、記録媒体１から第一のまたは第二の情報蓄積手段４、５に情報を蓄積する処理については、実施の形態１と同様の動作である。
【０１２２】
次に、第一のまたは第二の情報蓄積手段４、５から情報を出力し、映像、音声を再生する処理について、図６と図７を用いて説明する。
【０１２３】
システム制御手段４１２は、情報蓄積量検知手段４１１で、第一の情報蓄積手段４と第二の情報蓄積手段５の情報蓄積量を確認する（図７ステップ７１）。
【０１２４】
第一の情報蓄積手段４および第二の情報蓄積手段５の情報蓄積量がともに所定値未満であれば（図７ステップ７２）、第一の情報蓄積手段４および第二の情報蓄積手段５からの情報出力を停止し（図７ステップ７３）、再び情報蓄積量確認を行う。
もし、情報蓄積量が所定値以上であれば（図７ステップ７２）、情報を出力する第一の情報蓄積手段４または第二の情報蓄積手段５を選択する（図７ステップ７４）。
【０１２５】
第一の情報蓄積手段４、第二の情報蓄積手段５のうち選択された方から情報を出力する（図７ステップ７５）。
【０１２６】
出力した情報は情報解析手段６が解析を行い、映像情報か音声情報かを解析して、映像情報ならば映像情報蓄積手段７に、音声情報ならば音声情報蓄積手段８に蓄積する。
【０１２７】
映像情報蓄積手段７、音声情報蓄積手段８は、ＦＩＦＯ動作を行い、映像復号手段９、音声復号手段１０の要求に応じて情報を出力する。映像復号手段９は映像情報蓄積手段７から映像情報を取り出し復号して、映像信号を出力する。また、音声復号手段１０は音声情報蓄積手段８から音声情報を取り出し復号して、音声信号を出力する。
【０１２８】
第一の情報蓄積手段４、第二の情報蓄積手段５からの情報出力停止要求があるかどうかを判断し（図７ステップ７６）、要求があれば処理を終了し、なければ処理を継続する。
【０１２９】
以上のように本実施の形態によれば、記録媒体１から映像情報、音声情報のどちらを再生し、第一の情報蓄積手段４、第二の情報蓄積手段５のどちらに蓄積するかという制御と、第一の情報蓄積手段４、第二の情報蓄積手段５のどちらから情報を出力するかという制御とを、どちらも第一の情報蓄積手段４と第二の情報蓄積手段５の情報蓄積量に応じて制御するので、それぞれの情報の蓄積状況を個別に検知して、情報蓄積量が少ない方を再生するようにできる
このため、音声途切れや映像停止なしで同一記録媒体から映像情報と音声情報を同時に再生することができることとなる。
【０１３０】
（１）なお、本実施の形態と類似したつぎのような実施の形態も考えられる。
【０１３１】
この実施の形態のブロック図は、実施の形態３のブロック図である図６と同じ構成であり、処理も実施の形態３で説明した図６、図７と基本的には同様である。
【０１３２】
この実施の形態では前述の実施の形態３で説明した図７ステップ７４の処理だけが異なるので、この点について図１０を参照しながら説明する。図１０においてステップ１０４以外は図７と同様の動作である。
【０１３３】
第一の情報蓄積手段４または第二の情報蓄積手段５の情報蓄積量が所定値以上であれば（図１０ステップ７２）、まず第一の情報蓄積手段４の情報蓄積量が所定値以上であるかどうかをチェックする（図１０ステップ１０４１）。第一の情報蓄積手段４の情報蓄積量が所定値未満であれば、第二の情報蓄積手段５には出力すべき情報が十分蓄積されていると判断し、第二の情報蓄積手段５を選択する（図１０ステップ１０４２）。第一の情報蓄積手段４の情報蓄積量が所定値以上であれば次に、第二の情報蓄積手段５の情報蓄積量が所定値以上であるかどうかをチェックする（図１０ステップ１０４３）。第二の情報蓄積手段５の情報蓄積量が所定値以上であれば、第一の情報蓄積手段４と第二の情報蓄積手段５との両方とも情報蓄積量が所定値以上であり、この場合は、音声情報を再生するために音声情報蓄積用に設定された第二の情報蓄積手段５を選択する（図１０ステップ１０４２）。第二の情報蓄積手段５の情報蓄積量が所定値未満であれば、第一の情報蓄積手段４を選択する（図１０ステップ１０４４）。
【０１３４】
以上のようにこの実施の形態によれば、第一の情報蓄積手段４、第二の情報蓄積手段５からの情報の出力制御において、第一の情報蓄積手段４と第二の情報蓄積手段５の情報蓄積量に応じて制御を行い、それぞれの情報の蓄積状況を個別に検知して、情報蓄積量が多い方を再生し、両方の情報とも所定値以上の場合には、音声情報を優先して出力するように制御するので、音声途切れなしで同一記録媒体から映像情報と音声情報を同時に再生することができることとなる。
【０１３５】
（２）また、本実施の形態と類似したつぎのような実施の形態も考えられる。
【０１３６】
この実施の形態のブロック図は、実施の形態３のブロック図である図６と同じ構成であり、処理も実施の形態３で説明した図６、図７と基本的には同様である。
【０１３７】
この実施の形態では前述の実施の形態３で説明した図７ステップ７４の処理だけが異なるので、この点について図１１を参照しながら説明する。図１１においてステップ１１４以外は図７と同様動作である。
【０１３８】
第一の情報蓄積手段４または第二の情報蓄積手段５の情報蓄積量が所定値以上であれば（図１１ステップ７２）、まず第一の情報蓄積手段４の情報蓄積量が所定値以上であるかどうかをチェックする（図１１ステップ１１４１）。第一の情報蓄積手段４の情報蓄積量が所定値未満であれば、第二の情報蓄積手段５には出力すべき情報が十分蓄積されていると判断し、第二の情報蓄積手段５を選択する（図１１ステップ１１４２）。第一の情報蓄積手段４の情報蓄積量が所定値以上であれば、第二の情報蓄積手段５の情報蓄積量をチェックすることなく、映像情報蓄積用に設定された第一の情報蓄積手段４を選択する（図１１ステップ１１４３）。
【０１３９】
以上のようにこの実施の形態によれば、第一の情報蓄積手段４、第二の情報蓄積手段５からの情報の出力制御において、第一の情報蓄積手段４と第二の情報蓄積手段５の情報蓄積量に応じて制御を行い、それぞれの情報の蓄積状況を個別に検知して、情報蓄積量が多い方を再生し、両方の情報とも所定値以上の場合には、映像情報を優先して出力するように制御するので、映像停止なしで同一記録媒体から映像情報と音声情報を同時に再生することができることとなる。
【０１４０】
以上においては、実施の形態１〜３に関して詳細に説明を行った。
【０１４１】
なお、上述した実施の形態１〜３においては、第一の情報蓄積手段４と映像情報蓄積手段７とが直結され第二の情報蓄積手段５と音声情報蓄積手段８とが直結されているわけではなく、情報解析手段６がこれらの間に介在している。このため、本実施の形態の情報再生装置は、情報蓄積選択手段３が選択状態をたとえば第一の情報蓄積手段４側に固定してしまうことにより、従来の情報再生装置（図１６参照）と同様な動作を行うこともできる。音声に関する情報と映像に関する情報とが多重されたマルチプレックス信号が再生処理によって生成される場合には、このような従来の情報再生装置と同様な動作が有効に機能する。
【０１４２】
もちろん、図１７、１８に示されているように、第一の情報蓄積手段４と映像情報蓄積手段７とが直結され第二の情報蓄積手段５と音声情報蓄積手段８とが直結されていてもよい。
【０１４３】
なお、図１７に示されている情報再生装置は、記録媒体１から音声に関する情報および映像に関する情報を再生する再生処理手段２と、再生された音声に関する情報と再生された映像に関する情報とを分離する情報解析手段６と、分離された音声に関する情報を蓄積する音声情報蓄積手段８と、分離された映像に関する情報を蓄積する映像情報蓄積手段７と、蓄積された音声に関する情報を復号する音声復号手段１０と、蓄積された映像に関する情報を復号する映像復号手段９と、音声情報蓄積手段８によって蓄積されている情報の量と映像情報蓄積手段７によって蓄積されている情報の量とを検知する情報蓄積量検知手段１１１と、検知の結果に基づいて、再生処理手段２を制御するシステム制御手段１１２とを備えている。
【０１４４】
また、図１８に示されている情報再生装置は、記録媒体１から音声に関する情報および映像に関する情報を再生する再生処理手段２と、再生された音声に関する情報と再生された映像に関する情報とを分離する情報蓄積選択手段３と、分離された音声に関する情報を蓄積する第二の情報蓄積手段５と、分離された映像に関する情報を蓄積する第一の情報蓄積手段４と、蓄積された音声に関する情報を復号する音声復号手段１０と、蓄積された映像に関する情報を復号する映像復号手段９と、第二の情報蓄積手段５によって蓄積されている情報の量と第一の情報蓄積手段４によって蓄積されている情報の量とを検知する情報蓄積量検知手段２１１と、検知の結果に基づいて、再生処理手段２を制御するシステム制御手段２１２とを備えている。
【０１４５】
なお、本発明のプログラムは、上述した本発明の情報再生方法の全部または一部のステップ（または、工程、動作、作用等）の動作をコンピュータにより実行させるためのプログラムであって、コンピュータと協働して動作するプログラムである。
【０１４６】
また、本発明の記録媒体は、上述した本発明の情報再生方法の全部または一部のステップ（または、工程、動作、作用等）の全部または一部の動作をコンピュータにより実行させるためのプログラムを担持した記録媒体であり、コンピュータにより読み取り可能かつ、読み取られた前記プログラムが前記コンピュータと協動して前記動作を実行する記録媒体である。
【０１４７】
なお、本発明の上記「一部のステップ（または、工程、動作、作用等）」とは、それらの複数のステップの内の、一つまたは幾つかのステップを意味する。
【０１４８】
また、本発明の上記「ステップ（または、工程、動作、作用等）の動作」とは、前記ステップの全部または一部の動作を意味する。  
【０１４９】
また、本発明のプログラムの一利用形態は、コンピュータにより読み取り可能な記録媒体に記録され、コンピュータと協働して動作する態様であっても良い。
【０１５０】
また、本発明のプログラムの一利用形態は、伝送媒体中を伝送し、コンピュータにより読みとられ、コンピュータと協働して動作する態様であっても良い。
【０１５１】
また、記録媒体としては、ＲＯＭ等が含まれ、伝送媒体としては、インターネット等の伝送媒体、光・電波・音波等が含まれる。
【０１５２】
また、上述した本発明のコンピュータは、ＣＰＵ等の純然たるハードウェアに限らず、ファームウェアや、ＯＳ、更に周辺機器を含むものであっても良い。
【０１５３】
なお、以上説明した様に、本発明の構成は、ソフトウェア的に実現しても良いし、ハードウェア的に実現しても良い。
【産業上の利用可能性】
【０１５４】
本発明にかかる情報再生装置、情報再生方法、プログラム、および記録媒体は、音声の途切れや映像の停止がより低減された音声情報と映像情報の同時再生を行うことができ、有用である
【図面の簡単な説明】
【０１５５】
【図１】本発明の実施の形態１の情報再生装置のブロック図
【図２】本発明の実施の形態１の制御手順をしめすフローチャート（その１）
【図３】本発明の実施の形態１の制御手順をしめすフローチャート（その２）
【図４】本発明の実施の形態２の情報再生装置のブロック図
【図５】本発明の実施の形態２の制御手順をしめすフローチャート
【図６】本発明の実施の形態３の情報再生装置のブロック図
【図７】本発明の実施の形態３の制御手順をしめすフローチャート
【図８】本発明の実施の形態の制御手順をしめすフローチャート
【図９】本発明の実施の形態の制御手順をしめすフローチャート
【図１０】本発明の実施の形態の制御手順をしめすフローチャート
【図１１】本発明の実施の形態の制御手順をしめすフローチャート
【図１２】本発明の実施の形態の制御手順をしめすフローチャート
【図１３】本発明の実施の形態の制御手順をしめすフローチャート
【図１４】本発明の実施の形態の制御手順をしめすフローチャート
【図１５】本発明の実施の形態の制御手順をしめすフローチャート
【図１６】従来の情報再生装置のブロック図
【図１７】本発明の実施の形態の情報再生装置のブロック図
【図１８】本発明の実施の形態の情報再生装置のブロック図
【符号の説明】
【０１５６】
１  記録媒体
２  再生処理手段
３  情報蓄積選択手段
４  第一の情報蓄積手段
５  第二の情報蓄積手段
６  情報解析手段
７  映像情報蓄積手段
８  音声情報蓄積手段
９  映像復号手段
１０  音声復号手段
１１  情報蓄積量検知手段
１２  システム制御手段
１３  情報蓄積手段
【図１】
2005050435.tif 000003
【図２】
2005050435.tif 000004
【図３】
2005050435.tif 000005
【図４】
2005050435.tif 000006
【図５】
2005050435.tif 000007
【図６】
2005050435.tif 000008
【図７】
2005050435.tif 000009
【図８】
2005050435.tif 000010
【図９】
2005050435.tif 000011
【図１０】
2005050435.tif 000012
【図１１】
2005050435.tif 000013
【図１２】
2005050435.tif 000014
【図１３】
2005050435.tif 000015
【図１４】
2005050435.tif 000016
【図１５】
2005050435.tif 000017
【図１６】
2005050435.tif 000018
【図１７】
2005050435.tif 000019
【図１８】
2005050435.tif 000020